【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
撮像部により撮像して得られる画像データを入力して、この画像データに基づく画像において存在する被写体を検出する被写体検出手段と、
上記被写体検出手段により検出された被写体を画像内に含む上記画像データを自動で記録媒体に記録する自動撮像記録を継続して繰り返し実行させる撮像記録制御手段と、
上記撮像記録制御手段により実行される自動撮像記録の頻度である記録頻度を変更設定する記録頻度設定手段と、
上記記録頻度設定手段により設定された記録頻度に応じて、自動撮像記録に関連した所定のパラメータを変更設定する、パラメータ変更設定手段と、
を備える撮像制御装置。
【請求項２】
上記被写体検出手段により検出された被写体に応じて構図を判定する構図判定手段と、
上記画像データに基づく画像において、判定された構図が規定時間にわたって継続して得られたか否かを判別する構図継続判別手段とをさらに備え、
上記撮像記録制御手段は、上記構図継続判別手段により判定された構図が判定された構図が規定時間にわたって継続して得られたと判別されたことに応じて自動撮像記録を実行し、
上記パラメータ変更設定手段は、上記パラメータとして、上記構図継続判別手段が判別に用いる上記規定時間を変更する、
請求項１に記載の撮像制御装置。
【請求項３】
上記被写体検出手段は、検出された被写体ごとの笑顔のレベル値を検出するものとされ、
上記被写体検出手段により検出された被写体に応じて構図を判定するもので、判定される構図の要素に、検出された笑顔のレベル値が閾値以上であることを含む構図判定手段と、
上記検出された笑顔のレベル値が閾値以上であるか否かを判別する笑顔レベル値判別手段とをさらに備え、
上記撮像記録制御手段は、上記笑顔レベル値判別手段により検出された笑顔のレベル値が閾値以上であると判別されたことに応じて自動撮像記録を実行し、
上記パラメータ変更設定手段は、上記パラメータとして、上記笑顔レベル値判別手段が判別に用いる上記閾値を変更する、
請求項１又は請求項２に記載の撮像制御装置。
【請求項４】
上記撮像記録制御手段は、上記記被写体検出手段により被写体を検出したときに得られる被写体構成を含む画像の画像データを、規定回数繰り返して記録するようにされており、
上記パラメータ変更設定手段は、上記パラメータとして、上記規定回数の値を変更する、
請求項１乃至請求項３の何れかに記載の撮像制御装置。
【請求項５】
上記撮像記録制御手段により、上記記被写体検出手段により被写体を検出したときに形成される得られる被写体構成を含む画像の画像データが規定回数繰り返して記録されたことに応じて、少なくとも最後の撮像記録のときとは異なる被写体構成を形成する被写体が上記被写体検出手段により検出されるようにするために、上記撮像部の撮像視野範囲を変更する可動機構部を駆動制御する撮像視野範囲変更制御手段をさらに備える、
請求項４に記載の撮像制御装置。
【請求項６】
上記被写体検出手段により検出された被写体に応じて構図を判定するもので、構図の判定のために、所定の構図形成要素ごとに判定を行う構図判定手段をさらに備え、
上記パラメータ変更設定手段は、上記パラメータとして、構図判定手段が採用すべき上記構図形成要素を変更する、
請求項１乃至請求項５の何れかに記載の撮像制御装置。
【請求項７】
上記被写体検出手段により検出された被写体に応じて構図を判定する構図判定手段と、
上記画像データに基づく画像において、判定された構図が規定時間において得られるか否かを判別する第１の判定構図判別手段と、
上記画像データに基づく画像において、判定された構図が上記規定時間にわたって継続して得られなかったか否かを判別する第２の判定構図判別手段とをさらに備え、
上記撮像記録制御手段は、上記第１の判定構図判別手段により判定された構図が上記規定時間において得られたと判別したことに応じて、若しくは、上記第２の判定構図判別手段により、判定された構図が上記規定時間にわたって継続して得られなかったことに応じて自動撮像記録を実行し、
上記パラメータ変更設定手段は、上記パラメータとして、上記第１、第２の判定構図判別手段が判別に用いる上記規定時間を変更する、
請求項１、請求項３乃至請求項６の何れかに記載の撮像制御装置。
【請求項８】
上記被写体検出手段により検出された被写体に応じて構図を判定する構図判定手段と、
上記画像データに基づく画像において、判定された構図が得られたか否かについて判別する判定構図判別手段と、
上記判定構図判別手段により判定された構図が得られていると判定されており、かつ、規定時間が経過したか否かについて判別する時間経過判別手段とをさらに備え、
上記撮像記録制御手段は、上記構図継続判別手段により肯定の判別結果が得られたことに応じて自動撮像記録を実行し、
上記パラメータ変更設定手段は、上記パラメータとして、上記時間経過判別手段が判別に用いる上記規定時間を変更する、
請求項１、請求項３乃至請求項７の何れかに記載の撮像制御装置。
【請求項９】
上記被写体検出手段により被写体が検出されなかったことに応じて、上記被写体検出手段により被写体が検出されるように撮像視野範囲を変更する被写体探索制御を実行する、被写体探索制御手段と、
上記被写体検出手段により被写体が検出されなかったと判別されたタイミングから、所定の待機時間を経てから上記被写体探索制御を開始させる実行タイミング制御手段とをさらに備え、
上記パラメータ変更設定手段は、上記パラメータとして、上記実行タイミング制御手段が用いる上記待機時間を変更する、
請求項１乃至請求項８の何れかに記載の撮像制御装置。
【請求項１０】
上記記録頻度設定手段は、操作に応じて、記録頻度を変更設定する、
請求項１乃至請求項９の何れかに記載の撮像制御装置。
【請求項１１】
上記記録頻度設定手段は、上記記憶媒体の残容量に応じて記録頻度を変更設定する、
請求項１乃至請求項１０の何れかに記載の撮像制御装置。
【請求項１２】
上記記録頻度設定手段は、撮像装置がバッテリ駆動であるか、商用交流電源駆動であるかに応じて、記録頻度を変更設定する、
請求項１乃至請求項１１の何れかに記載の撮像制御装置。
【請求項１３】
撮像部により撮像して得られる画像データを入力して、この画像データに基づく画像において存在する被写体を検出する被写体検出手順と、
上記被写体検出手順により検出された被写体を画像内に含む上記画像データを自動で記録媒体に記録する自動撮像記録を継続して繰り返し実行させる撮像記録制御手順と、
上記撮像記録制御手順により実行される自動撮像記録の頻度である記録頻度を変更設定する記録頻度設定手順と、
上記記録頻度設定手順により設定された記録頻度に応じて、自動撮像記録に関連した所定のパラメータを変更設定するパラメータ変更設定手順と、
を実行する撮像方法。
【請求項１４】
撮像制御装置に、
撮像部により撮像して得られる画像データを入力して、この画像データに基づく画像において存在する被写体を検出する被写体検出手順と、
上記被写体検出手順により検出された被写体を画像内に含む上記画像データを自動で記録媒体に記録する自動撮像記録を継続して繰り返し実行させる撮像記録制御手順と、
上記撮像記録制御手順により実行される自動撮像記録の頻度である記録頻度を変更設定する記録頻度設定手順と、
上記記録頻度設定手順により設定された記録頻度に応じて、自動撮像記録に関連した所定のパラメータを変更設定するパラメータ変更設定手順と、
を実行させるためのプログラム。
【手続補正２】
【補正対象書類名】明細書
【補正対象項目名】発明の名称
【補正方法】変更
【補正の内容】
【発明の名称】撮像制御装置、撮像方法、プログラム
【手続補正３】
【補正対象書類名】明細書
【補正対象項目名】０００１
【補正方法】変更
【補正の内容】
【０００１】
本発明は、例えば被写体を探索して、撮像記録などを自動実行するようにされた撮像制御装置と、撮像方法に関する。また、このような撮像制御装置に必要な手順を実行させるためのプログラムに関する。
【手続補正４】
【補正対象書類名】明細書
【補正対象項目名】０００５
【補正方法】変更
【補正の内容】
【０００５】
そこで本発明は上記した課題を考慮して、撮像制御装置として次のように構成する。
つまり、撮像部により撮像して得られる画像データを入力して、この画像データに基づく画像において存在する被写体を検出する被写体検出手段と、上記被写体検出手段により検出された被写体を画像内に含む上記画像データを自動で記録媒体に記録する自動撮像記録を継続して繰り返し実行させる撮像記録制御手段と、上記撮像記録制御手段により実行される自動撮像記録の頻度である記録頻度を変更設定する記録頻度設定手段と、上記記録頻度設定手段により設定された記録頻度に応じて、自動撮像記録に関連した所定のパラメータを変更設定する、パラメータ変更設定手段とを備えることとした。